(57)【特許請求の範囲】
【請求項１】
係止機構を内装して箱本体に固定されるケースと、箱の扉の内側に取り付けられた前記係止機構により保持されるストライクよりなり、前記係止機構は前記ストライクの押動でバネ圧に抗してケース内を摺動しつつケース内の軸方向前後の両位置で停止する移動子と、該移動子に上下方向に摺動自在に取り付けられて前記ストライクと係脱する先端が折れ曲がった係合部を有する係合体と、前記ケースの内面と前記移動子との間に移動子上を左右に摺動可能に取り付けられるカムプレートからなり、前記移動子は押動部の側面部を開放するとともに押動部の裏面に移動子の長手方向に沿って一体にガイド兼変形防止用のリブを形成し、前記係合体の係合部の上部には前記リブに嵌まる摺動溝を形成したことを特徴とする扉の係止具。
【発明の詳細な説明】
【０００１】
【産業上の利用分野】
本発明は、把手のない扉を開閉する場合において、扉を一方向に押圧するだけの動作で、開閉に都合の良い位置へ扉を張り出させるために使用される扉の係止具に関する。
【０００２】
【従来の技術】
従来のこの種の扉の係止具としては本出願人が先に出願した実願平１−９３００２号の明細書に記載したものがある。
これはその実施例を示した第１０図と第１１図に従って説明すれば、一端が開口し、箱本体に固定されるケース４と、扉２の内側に固定されるストライク３と係合する先端が直角に折れ曲がった係合部６を有する係合体５と、該係合体５を上下方向に揺動自在に支持し、ケース４の内部に前後に摺動可能に収納される移動子７と、ケース４の後部に設けられたバネ座８と移動子７に設けられたバネ座（図示せず）との間に取り付けられる圧縮バネ９と、カム１０と相対するケース４の１つの内面１１と移動子７との間に移動子７の前記内面１１側の左右に摺動するカムプレート１２と、ケース４の１つの内面１１方向に向けて固着された滑合突起１３とからなるものであって、係合体５はケース４のガイド溝１４に導かれて、ストライク３が係止されている時にだけ係合部６は移動子７の外に突出し、ストライク３が解除されている時には係合部６は移動子内に収納するようにしたものである。このものは、ストライク３の形状が単純であるから、ストライク３や係合体５に多少のバリがあってもロック・解除動作に影響が少なく、係合体５のストライク３に対する取付位置精度がそれほどきびしくなくとも良いなどの利点があった。
【０００３】
【発明が解決しようとする課題】
しかし、この従来の扉の係止具は、移動子７の押動部１５には変形を防止するため、また係合体５の左右への位置ずれを防止するため、側面壁１６を設けていたので移動子を覆うケース４の頭部１７が幅方向に大きくなって、扉内のスペースを占めるため幅方向に小型化することが望まれていた。
本発明は、上記のような問題点を解消するためになされたもので、強度や動作をそこなうことなく頭部の形状を小型化できる扉の係止具を提供することを目的とするものである。
【０００４】
【課題を解決するための手段】
本発明は、その目的を達成するため次のような構成を採用している。つまり、係止機構を内装して箱本体に固定されるケースと、箱の扉の内側に取り付けられた前記係止機構により保持されるストライクよりなり、前記係止機構は前記ストライクの押動でバネ圧に抗してケース内を摺動しつつケース内の軸方向前後の両位置で停止する移動子と、該移動子に上下方向に摺動自在に取り付けられて前記ストライクと係脱する先端が折れ曲がった係合部を有する係合体と、前記ケースの内面と前記移動子との間に移動子上を左右に摺動可能に取り付けられるカムプレートからなり、前記移動子は押動部の側面部を開放するとともに押動部の裏面に移動子の長手方向に沿って一体にガイド兼変形防止用のリブを形成し、前記係合体の係合部の上部には前記リブに嵌まる摺動溝を形成したものである。
【０００５】
【作    用】
この発明によれば、押動部の側面壁を省略しても、押動部の裏面（内面）に形成した変形防止用のリブにより側面壁を形成したのと変わらぬ強度を維持できると共に、リブが係合体の周動溝に嵌まってガイドとしてセンタリングの働きをして摺動するので、係合体が左右に位置ずれすることなく円滑な動作を行うことができる。
【０００６】
【実  施  例】
次に、本発明の実施例を図面に基いて説明する。
図１は、本発明の実施例を示す分解斜視図であり、図２は図１の部材（ケース）の切り欠き斜視図であり、図３は図１の部材（移動子）の切り欠き斜視図であり、図４は本発明の実施例のストライクの形状を示す斜視図である。図５、図６は本発明の実施例の使用状態を示す側面中央縦断面図であり、図５は係止状態を、図６は解除状態を示す。図７は、本発明実施例の使用状態（係止時）を示す平面縦断面図である。図８は図１の部材（カムプレート）の平面図であり、図９は、図８のＡ−Ａ断面図である。
図１に示すように、本発明実施例の扉の係止具は、一端が開口したケース１８と、扉２の内側に固定されるストライク３（図４から図６参照）と係合する先端が直角に折れ曲がった係合部２７を有する係合体１９と、該係合体１９を上下方向に揺動自在に支持し、ケース１８の内部に前後に摺動可能に収納される移動子２０と、ケース１８の後部に設けられたバネ座２１（図２参照）と係合体１９に設けられたバネ座２２との間に取り付けられる圧縮バネ９と、後述するカム２３と相対するケース１８の一つの内面２４と移動子２０との間に移動子２０の前記内面２４側の左右に摺動するカムプレート２５と、ケース１８の一つの内面２４の内方に向けて固着された滑合突起２６とからなるものである。
ケース１８は、軸方向の一方が開口部２８となって他端２９が塞がった四角筒で、後述するように移動子２０の押動部５８を幅方向に小型化できたのでケース１８の頭部３８も幅方向に小型化されている。したがって開口部２８は幅方向に向かって僅かに広がっており、その外側は軸方向に後端に向けて延びて、僅かな段部３０を形成して該広がり部が終わっている。段部３０に続く部分には適当な距離を隔てて弾性係止片３１が外向きに突出している。ケース１８の一つの内面２４と対向する内面３２には、移動子２０を前後に案内する案内用溝３３が形成されるとともに前部（広がり部）に係合体１９の係合部２７を移動子２０の外方下向きに突出させるための切り欠き３４が設けられている。ケース１８の奥には、前記移動子２０が圧縮バネ９の反発力によってケース１８の外に飛び出さないように後述する移動子２０に設けられたストッパ３５を係止する係止段３６（図５参照）が設けられている。ケース１８の一つの内面２４に設けられた滑合突起２６は前後に互いに向きが同じである斜面を設けた平行四辺形で、該平行四辺形の底辺がケース１８の長手方向と平行になるように形成されている。
【０００７】
移動子２０は、ケース１８の開口部２８から摺動的に挿入されるもので、移動子２０の前部に前記係合体１９の係合部２７を収納する逆溝型の押動部５８を備え、該押動部５８の反対側（後部）には摺動部５９を一体に備えている。押動部５８の先端６０に対しウェブ６１とは反対側のフランジ６２の下端６３は厚みが薄くなり、さらに逆方向に折曲げられ、折曲げ片６４はその厚みが徐々に厚くなり、先端でさらに押動部５８の先端６０とは反対側に折曲がってなる第二折曲げ片６５は、突片６５となって摺動部５９の孔４０に臨むようになっている。摺動部５９には、下部（前記内面２４側と反対の面）にケース１８に設けられた前記係止段３６に係止されるストッパ３５を設け、上部（ケース１８の一つの内面２４側）には、左右に直線状の案内条溝３７を設け、側面には後述する係合体１９の枢支軸３９を受ける枢支受け６６を形成している。さらに前記押動部５８の裏面（内側）中央部に移動子２０の長手方向に沿ってガイド兼変形防止用のリブ６７を形成し、該リブ６７に後述する係合体１９の係合部２７の摺動溝６８が嵌められるようにしている。このリブ６７を形成したことにより、図１０に示した従来の扉の係止具が有していた押動部５８の側面壁が不要となり、押動部の幅方向を小型化することができた。なお、押動部５８の先端６０は平坦にされていて前方から見た目の違和感をなくしている。
【０００８】
係合体１９は、先端に前述の係合部２７を有する一対のアーム６９を備え、該アーム６９の中間部に前記移動子２０の枢支受け６６に枢支される一対の内向きの枢支軸３９を形成していて、係合部２７が枢支軸３９を支点として上下方向に回動可能に設けられている。ケース１８の内側面後部には係合体１９の後端４２を支持して、該後端４２を上下動させることによって係合体１９の前端の係合部２７を枢支軸３９を支点としてシーソーの動きのように上下動させるように導くガイド溝４３を形成している。
また、係合体１９の係合部２７の頭部には前記移動子２０の押動部５８のリブ６７に嵌まる摺動溝６８を形成している。
【０００９】
カムプレート２５は板状に形成してあり、下面には、前記移動子２０に設けられた案内条溝３７を摺動する突条４４を設けて、カムプレート２５を移動子２０と一緒に前後に摺動可能に設けると共に移動子２０上を左右にスライド可能に設け、カムプレート２５上面には前側部分に鋸歯状に二つの山部と一つの谷部からなるガイド斜面４５を有し、前側部分の前記二つの山部から後端４６を結ぶ略ハート型をなす中央隆起部４７を設けて、この中央隆起部４７周辺に周辺部４８を形成してハート型に沿う、上面に斜面４９と段差５０，５１を形成した一方向への循環通路５２を設けたカム２３を形成している。縁辺部４８の一部であるカムプレート２５の前端部には、前記中央隆起部４７のガイド斜面４５と対向して、ガイド斜面５３を形成している。図８、図９に示したように、前記斜面４９と段差５０，５１を形成した循環通路５２の高低は、最も低い皿面を（ロ）とすると、（ハ）では昇り勾配で（ニ）に到って最上昇面となり、（ホ）は（ニ）より低くてその間に段差５０がある。通路（ホ）の高さは皿面の高さ（ロ）と通路（ニ）の中間で、通路（ホ）は段差５１を経て皿面の高さ（ロ）に連なる。
【００１０】
前記ケース１８と移動子２０とカムプレト２５と係合体１９を組み立てる場合は、先ず移動子２０の上面にカムプレート２５を乗せ、移動子２０に設けた案内状溝３７に突条４４を係合させ組合せるとともに、移動子２０の側面に係合体１９の枢支軸３９を軸架して組合せた後に、ケース１８に設けたバネ座２１と移動子２０に設けたバネ座２２との間に圧縮バネ９を嵌装させるようにし、かつ移動子のリブ６７に係合体１９の摺動溝６８を嵌合させるようにしてカムプレート２５と係合体１９を取り付けた移動子２０をケース１８の開口部２８から挿入すると、やがて移動子２０のストッパ３５が弾性復元してケース１８の係止段３６に係止されて組立が完了する。
【００１１】
このようにして組み立てられた上記実施例の扉の係止具を使用状態を図５、図６、図７を用いて説明する。図７に示したように、上記実施例の扉の係止具はキャビネット等の箱本体１の正面に設けられた孔５４に差し込まれ、該孔５４の内側の突起が弾性係止片３１と噛み合って固定されている。他方、扉２には、扉の係止具と対向してストライク３が突設している。図６に示したように、係合部２７は移動子２０の内側に収納されていてストライク３の受入に備えている。また、カムプレート２５は、移動子２０にあけられた孔４０から突出した突片によってケース内面に向けて押し上げられている。
この状態で、ストライク３が突き進められると（扉を閉めようとすると）、扉２の内側が移動子２０の押動部先端６０に当接し、その押し込みによって移動子２０は圧縮バネ９を圧縮させながらケース１８の奥へと押し込められ、これに伴って移動子２０に軸着された係合体１９もケース１８の奥へと押し込められ、係合体１９の後端４２がケース１８に設けられたガイド溝４３に導かれて斜め上方に移動し、この動きによって係合体１９の前端の係合部２７が軸３９を支点として下方に移動してストライク３と係合する。また移動子２０がケース１８の奥へと押し込められると、移動子２０上のカムプレート２５もまた奥へ押し込められ、滑合突起２６は中央隆起部４７に沿って進行しガイド斜面４５の係止部５６に達し係止され（図７参照）、図５に示したように扉２は閉じた状態になる。この扉を閉じた状態で、誤って扉２を引っ張るような力がかかった場合、変形防止用のリブ６７の働きで移動子２０等が変形することを防止する。
【００１２】
次に扉をあける場合は、扉２の表面をもう一度押圧すれば、扉２の押しつけにより、移動子２０は再びケース１８の奥へ押し込まれて、これに伴ってカムプレート２５もまた奥に押し込まれて、前記係止状態が解除されて扉２をあけることができるようになる。つまり、まず滑合突起２６は中央隆起部４７のガイド斜面４５の係止部５６から外れて、扉２の押圧をやめれば圧縮バネ９の反発力によって移動子２０は再び開口部２８に向けて動かされ、滑合突起２６は中央隆起部４７に沿って中央隆起部４７の後端４６に達し、位置回復用案内突起５７によって中央部寄りに誘導されて、次のロック操作に備えることになる。係合体１９は移動子２０の動きに伴って前方（開口部）に向けて動かされ、係合体１９の後端４２はケース１８のガイド溝４３に沿って下方に向かって移動し、その動きに伴って係合部２７はシーソーの動きのように上部に移動して移動子２０の内部に収納され、ストライク３との係止が解除されて、次のストライク３の押し込みに備えることになる。
【００１３】
この扉の開閉動作において、係合体２７は摺動溝６８が移動子２０のリブ６７と嵌合したまま摺動するので左右に位置ずれすることなく円滑な動作となる。また、上記開閉動作においてロック操作時に通路（ハ）の入り口に到った滑合突起２６は、通路（ハ）を通路（ニ）まで昇り、通路（ホ）に落下する。この時、通路（ハ）から（ニ）に至る滑合突起２６は移動子２０の突片６５により押し上げる力を押さえつけてカムプレート２５を押し下げつつ進行しているので、段差５０を経て通路（ホ）に落下するとき急激にカムプレート２５が上方に移動して滑合突起２６と通路（ホ）との間に音が発生する。また、ロックを解除する時には、滑合突起２６が通路（ホ）にある時も滑合突起２６は移動子２０の突片６５により押し上げる力を押さえつけてカムプレート２５を押し下げているので、通路（ホ）から皿面（ロ）に落下する時も同様に音を発生する。この音によって係止時、あるいはロック解除時の確認音を聞くことができる。
なお、上記実施例において、ストライク３の形状は、図５、図６では、図４の（ａ）に示したように側面断面図がＬ字状のものを示したが、図４（ｂ）のように平面縦断面がコの字状のものでも良い。
また、上記実施例において移動子２０の押動部５８のリブ６７は一本だけ形成したものを示したが、必要に応じて複数本形成しても良い。
【００１０】
【発明の効果】
本発明は上記の通り構成されているので、次に記載される効果を奏する。
請求項１の発明によれば、押動部裏面に形成した変形防止用のリブとリブに嵌まって摺動する係合体の摺動溝の働きにより強度や動作をそこなうことなく頭部の形状を小型化できる扉の係止具を提供することができるという効果がある。
【図面の簡単な説明】
【図１】本発明の実施例を示す分解斜視図である。
【図２】図１の部材（ケース）の切り欠き斜視図である。
【図３】図１の部材（移動子）の切り欠き斜視図である。
【図４】本発明の実施例のストライクの形状を示す斜視図である。
【図５】本発明の実施例の使用状態を示す側面中央縦断面図であり、係止状態を示す。
【図６】本発明の実施例の使用状態を示す側面中央縦断面図であり、解除状態を示す。
【図７】本発明実施例の使用状態（係止時）を示す平面縦断面図である。
【図８】図１の部材（カムプレート）の平面図である。
【図９】図８のＡ−Ａ断面図である。
【図１０】従来例を示す分解斜視図である。
【図１１】従来例の扉の係止具の使用状態を示す側面縦断面図である。
【符号の説明】
１  箱本体
２  扉
３  ストライク
９  圧縮バネ
１０  カム
１２  カムプート
１３  滑合突起
１８  ケース
１９  係合体
２０  移動子
２１  ケースのバネ座
２２  移動子のバネ座
２７  係合部
３８  ケースの頭部
５８  押動部
６０  押動部の先端
６５  突片
６７  リブ
６８  周動溝
【図１】
0003680183.tif 000002
【図２】
0003680183.tif 000003
【図３】
0003680183.tif 000004
【図４】
0003680183.tif 000005
【図５】
0003680183.tif 000006
【図６】
0003680183.tif 000007
【図７】
0003680183.tif 000008
【図８】
0003680183.tif 000009
【図９】
0003680183.tif 000010
【図１０】
0003680183.tif 000011
【図１１】
0003680183.tif 000012